(57)【要約】      （修正有）【課題】硬貨を複数種類別に仕分けて、硬貨の支払いを迅速に行えることは勿論、より簡易な構成とすることにより、より迅速に硬貨を取り出せ、製造コストも低減することができ、さらに、スムーズに開閉することができる財布を提供する。【解決手段】全体側面方形状に形成され、内側に設けられた間仕切部１３，１４，１５により複数に区画された硬貨収納部１２と、硬貨収納部１２の厚さ方向の一方の側面側に設けられた紙幣収納部１６と、硬貨収納部１２の厚さ方向の他方の側面側に設けられたカード収納部１７とを備えた財布本体１１を有し、財布本体１１には、硬貨収納部１２の開口部、紙幣収納部１６の開口部、及びカード収納部１７の開口部を開閉可能な単一の開閉手段としてのスライドファスナー１８が設けられており、硬貨収納部１２を複数に区画する間仕切部１３，１４，１５のうち、中央に設けられた間仕切部１４，１５に財布本体１１の開閉時に伸縮して収納、開閉されうるように折曲部１４ａ，１５ａが形成されている。【選択図】図１
0003218846.tif 000002
【実用新案登録請求の範囲】
【請求項１】
全体側面方形状に形成され、内側に設けられた間仕切部により複数に区画された硬貨収納部と、前記硬貨収納部の厚さ方向の一方の側面側に設けられた紙幣収納部と、前記硬貨収納部の厚さ方向の他方の側面側に設けられたカード収納部とを備えた財布本体を有し、
前記財布本体には、前記硬貨収納部の開口部、前記紙幣収納部の開口部、及び前記カード収納部の開口部を開閉可能な単一の開閉手段が設けられており、
前記硬貨収納部を複数に区画する前記間仕切部のうち、中央に設けられた間仕切部に前記財布本体の開閉時に伸縮して収納、開閉されうるように折曲部が形成されていることを特徴とする財布。
【請求項２】
前記財布本体は、側面長方形状に形成されていることを特徴とする請求項１記載の財布。
【請求項３】
前記折曲部が形成された間仕切部は、長さ方向の中央に設けられた間仕切部であることを特徴とする請求項２記載の財布。
【請求項４】
前記硬貨収納部と前記紙幣収納部との間に、第２のカード収納部を備えていることを特徴とする請求項１乃至３のいずれか１項に記載の財布。
【請求項５】
前記カード収納部の外側側面側に、用紙収納部を備えていることを特徴とする請求項１乃至４のいずれか１項に記載の財布。
【考案の詳細な説明】
【技術分野】
【０００１】
本考案は、財布に係り、特に、硬貨を種類別に仕分けて収納可能な財布に関するものである。
【背景技術】
【０００２】
従来より、硬貨収納部と、紙幣収納部と、カード収納部とを備えた財布は広く実施されている。
【０００３】
また、例えば、特許文献１には、硬貨収納部が間仕切部で複数に区画され、硬貨を種類別に仕分けて収納可能な硬貨収納部を有し、硬貨の支払いを迅速に行えるようにした従来技術も開示されている。
【０００４】
しかしながら、特許文献１に開示された従来技術は、硬貨収納部を開閉する内側開閉手段としてのスライドファスナーと、財布の開口部全体を開閉する外側開閉手段としてのホック付きフラップを有しており、構成が複雑であり、硬貨を財布から取り出すためには２つの開閉手段を開状態にしなければならない二度手間となるうえに、構造が複雑な分、製造コストも高くなる。
【０００５】
また、財布の開口部に設けられた開閉方向の間仕切部が折れ曲がるように形成されていないことから、財布開閉時にスムーズに開閉できないおそれがあり、不便であるという不具合もある。
【先行技術文献】
【特許文献】
【０００６】
【特許文献１】実用新案登録第３２１２９２０号公報
【考案の概要】
【考案が解決しようとする課題】
【０００７】
本考案は、以上のような従来の問題点を解消するためのものであって、その課題は、硬貨を複数種類別に仕分けて、硬貨の支払いを迅速に行えることは勿論、より簡易な構成とすることにより、より迅速に硬貨を取り出せ、製造コストも低減することができ、さらに、スムーズに開閉することができる財布を提供することにある。
【課題を解決するための手段】
【０００８】
前記課題を解決するために、請求項１記載の考案にあっては、全体側面方形状に形成され、内側に設けられた間仕切部により複数に区画された硬貨収納部と、前記硬貨収納部の厚さ方向の一方の側面側に設けられた紙幣収納部と、前記硬貨収納部の厚さ方向の他方の側面側に設けられたカード収納部とを備えた財布本体を有し、前記財布本体には、前記硬貨収納部の開口部、前記紙幣収納部の開口部、及び前記カード収納部の開口部を開閉可能な単一の開閉手段が設けられており、前記硬貨収納部を複数に区画する前記間仕切部のうち、中央に設けられた間仕切部に前記財布本体の開閉時に伸縮して収納、開閉されうるように折曲部が形成されていることを特徴とする。
【０００９】
従って、請求項１記載の考案にあっては、前記硬貨収納部が複数に区画されているので、硬貨を複数種類別に仕分けることができるのは勿論、前記硬貨収納部の開口部、前記紙幣収納部の開口部、及び前記カード収納部の開口部を開閉可能な単一の開閉手段が設けられていることから、より簡易な構成とすることができる。
また、前記硬貨収納部を複数に区画する前記間仕切部のうち、中央に設けられた間仕切部に前記財布本体の開閉時に伸縮して収納、開閉されうるように折曲部が形成されているため、前記財布本体をスムーズに開閉することができる。
【００１０】
請求項２記載の考案にあっては、前記財布本体は、側面長方形状に形成されていることを特徴とする。
【００１１】
従って、請求項２記載の考案にあっては、前記財布本体の前記硬貨収納部、前記紙幣収納部、及び前記カード収納部の容量を大きくすることができる。
【００１２】
請求項３記載の考案にあっては、前記折曲部が形成された間仕切部は、長さ方向の中央に設けられた間仕切部であることを特徴とする。
【００１３】
従って、請求項３記載の考案にあっては、前記硬貨収納部の区画された各収納部をいずれも容量を大きくすることができる。
【００１４】
請求項４記載の考案にあっては、前記硬貨収納部と前記紙幣収納部との間に、第２のカード収納部を備えていることを特徴とする。
【００１５】
従って、請求項４記載の考案にあっては、前記カード収納部に加えて、前記第２のカード収納部を備えるため、より多くのカード類を収納することができる。
【００１６】
請求項５記載の考案にあっては、前記カード収納部の外側側面側に、用紙収納部を備えていることを特徴とする。
【００１７】
従って、請求項５記載の考案にあっては、前記用紙収納部に、デパート券等の金券やクーポン券、買い物メモ、レシート、領収書等を収納することができる。
【考案の効果】
【００１８】
請求項１記載の財布にあっては、前記硬貨収納部が複数に区画されているので、硬貨を複数種類別に仕分けることができ、硬貨の支払いを迅速に行えるのは勿論、前記硬貨収納部の開口部、前記紙幣収納部の開口部、及び前記カード収納部の開口部を開閉可能な単一の開閉手段が設けられていることから、より簡易な構成とすることができるので、より迅速に硬貨を取り出せ、製造コストも低減することができる。
また、前記硬貨収納部を複数に区画する前記間仕切部のうち、中央に設けられた間仕切部に前記財布本体の開閉時に伸縮して収納、開閉されうるように折曲部が形成されているため、前記財布本体をスムーズに開閉することができるので、使い勝手も良い。
【００１９】
請求項２記載の財布にあっては、前記財布本体の前記硬貨収納部、前記紙幣収納部、及び前記カード収納部の容量を大きくすることができるので、前記硬貨収納部では、より多くの硬貨を収納することができ、前記紙幣収納部では、紙幣を折り畳まずに簡易に収納することができ、前記カード収納部では、より多くのカード類を収納することができ、便利である。
【００２０】
請求項３記載の財布にあっては、前記硬貨収納部の区画された各収納部をいずれも容量を大きくすることができるので、いずれの種類の硬貨も多く収納することができる。
【００２１】
請求項４記載の財布にあっては、前記カード収納部に加えて、前記第２のカード収納部を備えるため、より多くのカード類を収納することができるので、多くのカード類を使用しなければならない今のカード社会に対応することができる。
【００２２】
請求項５記載の財布にあっては、前記用紙収納部に、デパート券等の金券やクーポン、買い物メモ、レシート、領収書等を収納することができるので、これらの様々な用紙をすぐに出し入れでき、更に便利である。
【図面の簡単な説明】
【００２３】
【図１】図１は、本考案に係る財布の一実施形態を示す斜視図である。
【図２】図２は、本考案に係る財布の一実施形態の側面図である。
【考案を実施するための形態】
【００２４】
以下、本考案に係る財布を、一実施形態に基づき、図面を参照して説明する。
【００２５】
先ず、一実施形態の構成について説明する。
図１及び図２は、本考案に係る一実施形態の財布１０を説明するための図である。
【００２６】
この一実施形態の財布１０は、図１及び図２に示すように、全体側面長方形状に形成され、内側に設けられた間仕切部１３，１４，１５により４つに区画された硬貨収納部１２と、硬貨収納部１２の厚さ方向の一方の側面側に設けられた紙幣収納部１６と、硬貨収納部１２の厚さ方向の他方の側面側に設けられたカード収納部１７とを備えた財布本体１１により構成されている。
【００２７】
そして、財布本体１１は、下端部が接合された両側面部１１ａ，１１ｂにより形成され、その内部に、硬貨収納部１２、紙幣収納部１６、カード収納部１７を備え、財布本体１１の開口部には、硬貨収納部１２の開口部、紙幣収納部１６の開口部、及びカード収納部１７の開口部を開閉可能な単一の開閉手段としてのスライドファスナー１８が設けられている。
【００２８】
さらに、硬貨収納部１２を４つに区画する間仕切部１３，１４，１５のうち、長さ方向の中央に設けられた間仕切部１４，１５に財布本体１１の開閉時に伸縮して収納、開閉されうるように折曲部１４ａ，１５ａが夫々形成されている。
【００２９】
なお、硬貨収納部１２は、下端部が接合された両側面部１９，２０の長さ方向の両端部に設けられたマチ部２１，２２，２３，２４にも、財布本体１１の開閉時に伸縮して収納、開閉されうるように折曲部２１ａ，２２ａ，２３ａ，２４ａが夫々形成されている。
【００３０】
また、財布本体１１は、千円札２５ａ、五千円札２５ｂ、一万円札２５ｃ等の紙幣２５よりも若干大きい側面長方形状に形成されている。
【００３１】
さらに、硬貨収納部１２と紙幣収納部１６との間には、第２のカード収納部２６を備えており、下端部が接合された両側面部２７，２８の長さ方向の両端部に設けられたマチ部２９，３０にも、財布本体１１の開閉時に伸縮して収納、開閉されうるように折曲部２９ａ，３０ａが夫々形成されている。
【００３２】
そして、この第２のカード収納部２６の外側の側面部２８と、財布本体１１を形成する両側面部１１ａ，１１ｂのうち、一方の側面部１１ｂとの間に、紙幣収納部１６が形成されている。
【００３３】
なお、第２のカード収納部２６の側面部２８の内側面に、６つのカードポケット３１，・・・が形成されており、６枚のカード３１，・・・が収納可能とされている。
【００３４】
また、硬貨収納部１２の他方の側面部１９に隣り合ってカード収納部１７を備えており、下端部が接合された両側面部３３，３４の長さ方向の両端部に設けられたマチ部３５，３６にも、財布本体１１の開閉時に伸縮して収納、開閉されうるように折曲部３５ａ，３６ａが夫々形成されている。
【００３５】
なお、カード収納部１７の側面部３３の内側面に、６つのカードポケット３７，・・・が形成されており、６枚のカード３８，・・・が収納可能とされている。
【００３６】
そして、このカード収納部１７の外側の側面部３７と、財布本体１１を形成する両側面部１１ａ，１１ｂのうち、他方の側面部１１ａとの間に、デパート券４０等を収納可能な用紙収納部３９が形成されている。
【００３７】
なお、開閉手段としてのスライドファスナー１８の引手１８ａには、ストラップ４１が取り付けられており、財布本体１１の開閉がより容易に行えるようになっている。
【００３８】
また、本実施形態では、硬貨収納部１２に形成された４つの収納部１２ａ，１２ｂ，１２ｃ，１２ｄにおいて、第１の収納部１２ａには、複数枚の五百円硬貨４２，・・・を収納し、第２の収納部１２ｂには、複数枚の十円硬貨４３，・・・・を長さ方向の一方側に収納し、他方側に複数枚の五十円硬貨４４，・・・を収納し、第３の収納部１２ｃには、複数枚の百円硬貨４５，・・・を収納し、第４の収納部１２ｄには、複数枚の一円硬貨４６，・・・を長さ方向の一方側に収納し、他方側に複数枚の五円硬貨４７，・・・を収納している。
【００３９】
次に、一実施形態の作用効果について説明する。
【００４０】
この本考案の一実施形態の財布１０によれば、図１及び図２に示すように、上記した構成なので、硬貨収納部１２が４つに区画されているので、硬貨４２，４３，４４，４５，４６，４７を複数種類別に仕分けることができ、硬貨４２，４３，４４，４５，４６，４７の支払いを迅速に行えるのは勿論、硬貨収納部１２の開口部、紙幣収納部１６の開口部、及びカード収納部１７の開口部を開閉可能な単一の開閉手段としてのスライドファスナー１８が設けられていることから、より簡易な構成とすることができるので、より迅速に硬貨を取り出せ、製造コストも低減することができる。
【００４１】
また、硬貨収納部１２を複数に区画する間仕切部１３，１４，１５のうち、中央に設けられた間仕切部１４，１５に財布本体１１の開閉時に伸縮して収納、開閉されうるように折曲部１４ａ，１５ａが夫々形成されているため、財布本体１１をスムーズに開閉することができるので、使い勝手も良い。
【００４２】
また、財布本体１１の硬貨収納部１２、紙幣収納部１６、及びカード収納部１７の容量を大きくすることができるので、硬貨収納部１２では、より多くの硬貨４２，４３，４４，４５，４６，４７を収納することができ、紙幣収納部１６では、紙幣１５，・・・を折り畳まずに簡易に収納することができ、カード収納部１７では、より多くのクレジットカード、ポイントカード等のカード３８・・・を収納することができ、便利である。
【００４３】
さらに、硬貨収納部１２の区画された各収納部１２ａ，１２ｂ，１２ｃ，１２ｄをいずれも容量を大きくすることができるので、いずれの種類の硬貨４２，４３，４４，４５，４６，４７も多く収納することができる。
【００４４】
また、カード収納部１７に加えて、第２のカード収納部２６を備えるため、定期券、運転免許証、健康保険証等のより多くのカード３２，・・・を収納することができるので、多くのカード３２，・・・，３８，・・・を使用しなければならない今のカード社会に対応することができる。
【００４５】
さらに、用紙収納部３９に、デパート４０券等の金券やクーポン、買い物メモ、レシート、領収書等を収納することができるので、これらの様々な用紙をすぐに出し入れでき、更に便利である。
【００４６】
以上、本考案に係る財布の一実施形態について図面を参照して詳述してきたが、具体的な構成は、この一実施形態に限らず、本考案の要旨を逸脱しない程度の設計的変更は、本考案に含まれる。
【００４７】
例えば、上記した一実施形態では、財布１０の硬貨収納部１２の区画を４つとしたが、これに限定されず、硬貨４２，４３，４４，４５，４６，４７の数に合わせて６つにする等して実施してもよい。
【００４８】
さらに、上記した一実施形態では、財布本体１１の開閉手段を、スライドファスナー１８としたが、これに限定されず、例えば、ホック付きのフラップ等にして実施してもよい。
【産業上の利用可能性】
【００４９】
本考案に係る財布は、多くの人々が購入し、使用することができるので、産業上の利用可能性を有している。
【符号の説明】
【００５０】
１０    財布
１１    財布本体
１１ａ  財布本体の側面部
１１ｂ  財布本体の側面部
１２    硬貨収納部
１２ａ  第１の収納部
１２ｂ  第２の収納部
１２ｃ  第３の収納部
１２ｄ  第４の収納部
１３    間仕切部
１４    間仕切部
１４ａ  折曲部
１５    間仕切部
１５ａ  折曲部
１６    紙幣収納部
１７    カード収納部
１８    スライドファスナー（開閉手段）
１８ａ  引手
１９    硬貨収納部の側面部
２０    硬貨収納部の側面部
２１    マチ部
２１ａ  折曲部
２２    マチ部
２２ａ  折曲部
２３    マチ部
２３ａ  折曲部
２４    マチ部
２４ａ  折曲部
２５    紙幣
２５ａ  千円札（紙幣）
２５ｂ  五千円札（紙幣）
２５ｃ  一万円札（紙幣）
２６    第２のカード収納部
２７    第２のカード収納部の側面部
２８    第２のカード収納部の側面部
２９    マチ部
２９ａ  折曲部
３０    マチ部
３０ａ  折曲部
３１    カードポケット
３２    カード
３３    カード収納部の側面部
３４    カード収納部の側面部
３５    マチ部
３５ａ  折曲部
３６    マチ部
３６ａ  折曲部
３７    カードポケット
３８    カード
３９    用紙収納部
４０    デパート券（用紙）
４１    ストラップ
４２    五百円硬貨（硬貨）
４３    十円硬貨（硬貨）
４４    五十円硬貨（硬貨）
４５    百円硬貨（硬貨）
４６    一円硬貨（硬貨）
４７    五円硬貨（硬貨）
【図１】
0003218846.tif 000003
【図２】
0003218846.tif 000004